(57)【特許請求の範囲】
【請求項１】
液体燃料を収容するカートリッジタンクと、このカートリッジタンクから液体燃料の供給を受ける油受皿と、この油受皿の上面に設置されて上記カートリッジタンクの給油口を覆い、かつ給油口に設けられた弁体を開く受皿とを備えてなる液体燃料燃焼器の給油装置において、上記油受皿の上面に上記受皿の径よりも大きな径で深絞り加工により形成した凹所を設け、該凹所内の底面に受皿を設置したことを特徴とする液体燃料燃焼器の給油装置。
【発明の詳細な説明】
【０００１】
【発明の属する技術分野】
この発明は、カートリッジタンクを備えた石油ストーブ、石油ファンヒーターなどの液体燃料燃焼器の給油装置に関するものである。
【０００２】
【従来の技術】
図４は従来の液体燃料燃焼器の給油装置のカートリッジタンクを油受皿の上面に設置した状態を示す要部断面図であり、図５はその油受皿の上面図である。図中、１はカートリッジタンク（以下、タンクという）、１ａはタンク１の設置面、２はこのタンク１内に収容された灯油などの液体燃料、３はタンク１の設置面１ａ側に気密に装着された給油口で、弁体３ａを具備している。４はタンク１から液体燃料２の供給を受ける油受皿、４ｂは油受皿４の上面に設けられた開口部、５は油受皿４の開口部４ｂより挿入して設置し、タンク１を円周にて受ける受面５ａと給油口３を囲う筒部５ｃとが形成された受皿で、筒部５ｃの底面には突き上げピン５ｂと燃料流出用の開口５ｄを有している。
【０００３】
液体燃料２が入ったタンク１を、図４に示すように、給油口３が下方向になるようにしてタンク１の設置面１ａが暖房機本体内の油受皿４上の受皿５の受面５ａ上に設置され、給油口３は受皿５の突き上げピン５ｂにより弁体３ａが押されて開かれて、タンク１内より液体燃料２が外気と入れ替わることにより油受皿４内に流出し、給油口３の先端まで油受皿４内に油面が形成されると、外気と入れ替わることが出来なくなり、給油が停止される。
そして、油受皿４に設置された燃料汲み上げポンプ（図示せず）等により油受皿４内の液体燃料２が燃焼器（図示せず）に送られて燃焼し、油受皿４内の油面が下がると、再度、外気と入れ替えにタンク１内の液体燃料２が油受皿４内に流出し、油面が上昇するという過程を繰り返す。
【０００４】
従って、給油口３の先端は常に油受皿４内の液体燃料２と接触している。この状態で、給油作業のために、使用者がタンク１を油受皿４上から取り出そうと持ち上げると、給油口３の先端に付着していた油が滴れ落ちる。この滴れ落ちる油が油受皿４内に入るには、図４に示すように、受皿５の筒部５ｃの径（給油口３の外径より４〜６ｍｍくらい大きい）内に滴れ落ちなければならず、非常に確率的に少ない。
従って、滴れ落ちる油が油受皿４や受皿５の受面５ａ上に落ちる確率の方が大きく、数回給油作業をするうちには、油受皿４上に油が溜まったり、受皿５の受面５ａは、図５に示すように、円周にてタンク１の設置面１ａを受けているため、タンク１の設置面１ａには円形に多面積で油が付着してしまう。
【０００５】
【発明が解決しようとする課題】
上述したように、従来の液体燃料燃焼器の給油装置においては、タンク１を油受皿４上から取り出そうと持ち上げると、給油口３の先端より滴れ落ちる油が、油受皿４内に入る確率よりも油受皿４上面や受皿５の受面５ａ上に落ちる確率の方が大きく、数回給油作業をするうちには、油受皿４上に油が溜まったり、タンク１の設置面１ａに油が付着し、油受皿４上面やタンク１の設置面１ａを汚してしまうといった問題点があった。
【０００６】
この発明は、上記の問題点を解決するためになされたものであり、給油口の先端より滴れ落ちる油が確実に油受皿内に入り、油受皿上面やタンクの設置面を汚さない液体燃料燃焼器の給油装置を得ることを目的としたものである。
【０００７】
【課題を解決するための手段】
上記の目的を達成するために、本発明は、液体燃料を収容するカートリッジタンクと、このカートリッジタンクから液体燃料の供給を受ける油受皿と、この油受皿の上面に設置されて上記カートリッジタンクの給油口を覆い、かつ給油口に設けられた弁体を開く受皿とを備えてなる液体燃料燃焼器の給油装置において、上記油受皿の上面に上記受皿の径よりも大きな径で深絞り加工により形成した凹所を設け、該凹所内の底面に受皿を設置したものである。
【００１０】
【発明の実施の形態】
実施の形態１．
以下、本発明の実施の形態１について、図面とともに説明する。
図１，図２は本発明の実施の形態１の給油装置を示すもので、図１はカートリッジタンクを油受皿上に設置した状態を示す要部断面図、図２は油受皿の上面図である。
図において、１はタンク、１ａはタンク１の設置面、２はこのタンク１内に収容された灯油などの液体燃料、３はタンク１の設置面１ａ側に装着された給油口、４はタンク１から流出する液体燃料２を受ける油受皿、４ａは油受皿４の上面を大きな径（従来の受皿５の径より大きく）で深絞り加工により形成した凹所、４ｂはこの凹所４ａの底面に設けられた開口部、４ｃは上記凹所４ａ外周の油受皿４上面に凸に絞り出したタンク１の設置面１ａを受ける受面、５は油受皿４の凹所４ａ底面の開口部４ｂより挿入して設置し、給油口３を囲う筒部５ｃが形成された受皿、５ｂは受皿５の筒部５ｃの底部に設けた突き上げピン、５ｄは同じく受皿５の筒部５ｃの底部に設けた流出口である。
なお、以上の構成は、暖房機本体（図示せず）内に設けられており、また従来の構成と同一及び相当する部分については、従来構成と同一符号を用いて記載し、説明を省略する。
【００１１】
次に動作について説明する。
液体燃料２が入ったタンク１を、図１に示すように、給油口３が下方向になるようにして、タンク１の設置面１ａが暖房機本体内の油受皿４の上面に凸絞りした受面４ｃに設置され、給油口３は受皿５の突き上げピン５ｂにより弁体３ａが押されて開かれて、タンク１内より液体燃料２が外気と入れ替わることにより油受皿４内に流出し、給油口３の先端まで油受皿４内に油面が形成されると、外気と入れ替わることが出来なくなり、給油が停止される。
そして、油受皿４に設置された燃料汲み上げポンプ（図示せず）等により油受皿４内の液体燃料２が燃焼器（図示せず）に送られて燃焼し、油受皿４内の油面が下がると、再度、外気と入れ替えにタンク１内の液体燃料２が油受皿４内に流出し、油面が上昇するという過程を繰り返す。
【００１２】
従って、給油口３の先端は常に油受皿４内の液体燃料２と接触している。この状態で、給油作業のために、使用者がタンク１を油受皿４上から取り出そうと持ち上げると、給油口３の先端より油が滴れ落ちる。図１のように、従来の受皿５の径より大きな径にて油受皿４の凹所４ａは形成されているので、滴れ落ちる油が油受皿４内に入る確率が大きくなる。また、図２のように、タンク１を受ける受面４ｃを複数箇所に配置し、受け面積も少なくしているので、受面４ｃに油が滴れる確率はきわめて少なく、また、滴れても面積が少なくてすむ。また、受皿５は油受皿４の凹所４ａ底面からタンク１の給油口３を囲うまでの構成でよいため、形状的に加工が容易になり、かつ材料の使用量も少なくなり、コストを安価にできるという利点も得られる。
【００１３】
実施の形態２．
また、図３のように，油受皿４上面の凹所４ａ外周に、該凹所４ａに向かって下向きに傾斜するテーパー４ｄを設けることにより、燃料が油受皿４の凹所４ａ以外に滴れ落ちた場合でも、油受皿４の凹所４ａに向かって流れるため、油受皿４内に入り、油受皿４上面に溜まるのを防ぐことができる。
【００１４】
【発明の効果】
以上のように本発明の液体燃料燃焼器の給油装置は、液体燃料を収容するカートリッジタンクと、このカートリッジタンクから液体燃料の供給を受ける油受皿と、この油受皿の上面に設置されて上記カートリッジタンクの給油口を覆い、かつ給油口に設けられた弁体を開く受皿とを備えてなる液体燃料燃焼器の給油装置において、上記油受皿の上面に上記受皿の径よりも大きな径で深絞り加工により形成した凹所を設け、該凹所内の底面に受皿を設置するようにしたので、給油作業時に、タンクの給油口部より滴れ落ちる燃料を高い確率で油受皿内に戻すことができ、油受皿上面やタンクの設置面を汚さない液体燃料燃焼器の給油装置を得ることができる。
【図面の簡単な説明】
【図１】  本発明の実施の形態１を示す液体燃料燃焼器の給油装置のカートリッジタンクを油受皿上に設置した状態を示す要部断面図である。
【図２】  本発明の実施の形態１の油受皿の上面図である。
【図３】  本発明の実施の形態２の油受皿の要部断面図である。
【図４】  従来の液体燃料燃焼器の給油装置のカートリッジタンクを油受皿上に設置した状態を示す要部断面図である。
【図５】  従来の油受皿の上面図である。
【符号の説明】
１  カートリッジタンク、２  液体燃料、３  給油口、４  油受皿、４ａ  凹所、４ｃ  受面、４ｄ  テーパー、５  受皿。
【図１】
0003887954.tif 000002
【図２】
0003887954.tif 000003
【図３】
0003887954.tif 000004
【図４】
0003887954.tif 000005
【図５】
0003887954.tif 000006